(57)【要約】【課題】  ガード体を左右支柱に不測に外れるおそれなく強固でかつ簡単に連結することができる棚ガード用の連結具及び棚ガードを提供する。【解決手段】  ガード体の端部が連結される連結板２３と、連結板２３の端部から直角状に屈曲した係合片２４と、連結板２３に固着された挟持片２５とを備え、挟持片２５は、連結板２３に固着された固着部３３と、係合片２４から離間して係合片２４と平行になるように固着部３３から突出した挟持部３４とを有し、係合片２４が支柱９の取付孔１５から支柱９内面側に挿入されて、係合片２４と挟持部３４との間で支柱９の取付孔１５の開口縁部を厚み方向に挟持するように構成されている。【選択図】図１
2014018358.tif 000002
【特許請求の範囲】
【請求項１】
棚（１）の左右の支柱（９）間に、ガード体を連結して棚（１）に載置した載置物（３）が棚（１）から落下したり倒れたりするのを防止するようにした棚ガード用の連結具であって、左右支柱（９）に設けられた取付孔（１５）を利用してガード体の両端部を左右支柱（９）にそれぞれ連結するようにした棚ガード用の連結具であり、
ガード体の端部が連結される連結板（２３）と、連結板（２３）の端部から直角状に屈曲した係合片（２４）と、連結板（２３）に固着された挟持片（２５）とを備え、挟持片（２５）は、連結板（２３）に固着された固着部（３３）と、係合片（２４）から離間して係合片（２４）と平行になるように固着部（３３）から突出した挟持部（３４）とを有し、係合片（２４）が支柱（９）の取付孔（１５）から支柱（９）内面側に挿入されて、係合片（２４）と挟持部（３４）との間で支柱（９）の取付孔（１５）の開口縁部を厚み方向に挟持するように構成されていることを特徴とする棚ガード用の連結具。
【請求項２】
連結板（２３）と係合片（２４）との間の下部側に、支柱（９）の取付孔（１５）の下側開口縁部に係合する係合溝（３１）が、下方に向けて開口するように設けられていることを特徴とする請求項１に記載の棚ガード用の連結具。
【請求項３】
連結板（２３）と係合片（２４）とは金属板により一体に形成されており、連結板（２３）から係合片（２４）に亘ってビード加工（２９）が施され、係合片（２４）は連結板（２３）から直角状に屈曲されていることを特徴とする請求項１又は２に記載の棚ガード用の連結具。
【請求項４】
挟持片（２５）の固着部（３３）と挟持部（３４）とは金属製の板バネにより一体に形成されており、固着部（３３）から挟持部（３４）に亘ってビード加工（３６）が施され、固着部（３３）は連結板（２３）に添って配置されて該連結板（２３）に溶接され、挟持部（３４）は固着部（３３）から直角状に屈曲されていることを特徴とする請求項１〜３のいずれかに記載の棚ガード用の連結具。
【請求項５】
ガード体であるガードベルト（６）を備え、ガードベルト（６）の両端部に、請求項１〜４のいずれかに記載の棚ガード用の連結具が連結板（２３）を介してそれぞれ連結され、ガードベルト（６）の中途部にガードベルト（６）の長さを調整するベルト長さ調整具（２０）が設けられていることを特徴とする棚ガード。
【発明の詳細な説明】
【技術分野】
【０００１】
本発明は、棚ガード用の連結具及び棚ガードに関するものである。
【背景技術】
【０００２】
棚ガードには、棚の左右の支柱間にガードベルト等のガード体を連結して地震発生時等において棚に載置した載置物が棚から落下したり倒れたりするのを防止するようにしたものがある（例えば引用文献１，２）。
従来のこの種の棚ガードでは、ガードベルトの両端部にそれぞれ鈎形の係止具を連結し、この係止具を棚の左右支柱の左右方向外方の外側壁部外面にそれぞれ係合することにより、ガードベルトの両端部を左右の支柱に連結するようにしたものがある（例えば引用文献１）。
【０００３】
また、他の従来の棚ガードでは、ガードベルトの端部を支柱に連結する連結手段として、押止板をガードベルトの端部に被せ、押止板に穿孔された孔よりネジをベルトに貫通させて支柱に締め付け固定するようにしたものがある（例えば引用文献２）。
【先行技術文献】
【特許文献】
【０００４】
【特許文献１】実用新案登録第３１３５９０１号公報
【特許文献２】実用新案登録第３１７０５３９号公報
【発明の概要】
【発明が解決しようとする課題】
【０００５】
しかし、前者の従来の場合、ガードベルトを左右支柱に連結するには、係止具をそれぞれ棚の左右支柱に係合すればよく、ガードベルトを左右支柱間に簡単に連結することができるが、地震による振動等により、鈎形の係止具が左右の支柱から容易く外れ、地震発生時等において棚に載置した載置物が棚から落下したり倒れたりするのを有効に防止できなくなるおそれがあった。
【０００６】
また、後者の従来の場合、ガードベルトを左右支柱に連結するには、押止板に穿孔された孔よりネジをベルトに貫通させて支柱に締め付け固定する必要があるし、また、左右支柱にネジを螺合するためのねじ孔を形成する必要があり、ガードベルト等のガード体の左右支柱への連結が非常に面倒であった。
本発明は上記問題点に鑑み、ガードベルト等のガード体を左右支柱に不測に外れるおそれなく強固でかつ簡単に連結することができる棚ガード用の連結具及び棚ガードを提供することを目的としている。
【課題を解決するための手段】
【０００７】
本発明における課題解決のための具体的手段は、次の通りである。
この技術的課題を解決する本発明の技術的手段は、棚１の左右の支柱９間に、ガード体を連結して棚１に載置した載置物３が棚１から落下したり倒れたりするのを防止するようにした棚ガード用の連結具であって、左右支柱９に設けられた取付孔１５を利用してガード体の両端部を左右支柱９にそれぞれ連結するようにした棚ガード用の連結具であり、
ガード体の端部が連結される連結板２３と、連結板２３の端部から直角状に屈曲した係合片２４と、連結板２３に固着された挟持片２５とを備え、挟持片２５は、連結板２３に固着された固着部３３と、係合片２４から離間して係合片２４と平行になるように固着部３３から突出した挟持部３４とを有し、係合片２４が支柱９の取付孔１５から支柱９内面側に挿入されて、係合片２４と挟持部３４との間で支柱９の取付孔１５の開口縁部を厚み方向に挟持するように構成されている点にある。
【０００８】
また、本発明の他の技術的手段は、連結板２３と係合片２４との間の下部側に、支柱９の取付孔１５の下側開口縁部に係合する係合溝３１が、下方に向けて開口するように設けられている点にある。
また、本発明の他の技術的手段は、連結板２３と係合片２４とは金属板により一体に形成されており、連結板２３から係合片２４に亘ってビード加工２９が施され、係合片２４
は連結板２３から直角状に屈曲されている点にある。
【０００９】
また、本発明の他の技術的手段は、挟持片２５の固着部３３と挟持部３４とは金属製の板バネにより一体に形成されており、固着部３３から挟持部３４に亘ってビード加工３６が施され、固着部３３は連結板２３に添って配置されて該連結板２３に溶接され、挟持部３４は固着部３３から直角状に屈曲されている点にある。
また、本発明の他の技術的手段は、ガード体であるガードベルト６を備え、ガードベルト６の両端部に、請求項１〜４のいずれかに記載の棚ガード用の連結具が連結板２３を介してそれぞれ連結され、ガードベルト６の中途部にガードベルト６の長さを調整するベルト長さ調整具２０が設けられている点にある。
【発明の効果】
【００１０】
本発明によれば、棚ガード用の連結具の係合片を支柱の取付孔に挿入して支柱の内面側に係合すれば、係合片と挟持部との間で、支柱の取付孔の開口縁部を厚み方向に挟持することができ、棚ガード用の連結具によってガードベルト等のガード体を左右支柱に不測に外れるおそれなく強固でかつ簡単に連結することができる。
【図面の簡単な説明】
【００１１】
【図１】本発明の第１実施形態を示す棚ガードの平面断面図である。
【図２】同左側の支柱及び連結具を前側から見た斜視図である。
【図３】同左側の支柱及び連結具を後側から見た斜視図である。
【図４】同左右支柱に取り付けた状態の棚ガードの正面図である。
【図５】同左用連結具を示し、（ａ）はその正面図、（ｂ）はその左側面図、（ｃ）はその右側面図、（ｄ）はその底面図である。
【図６】同右用連結具を示し、（ａ）はその正面図、（ｂ）はその左側面図、（ｃ）はその右側面図、（ｄ）はその底面図である。
【図７】本発明の第２実施形態を示す棚ガードの平面断面図である。
【図８】同支柱に連結具を取り付ける途中を示す平面断面図である。
【図９】図８のＡ−Ａ線断面図である。
【図１０】同左側の支柱及び連結具を前側から見た斜視図である。
【図１１】同左側の支柱及び連結具を後側から見た斜視図である。
【図１２】同支柱に連結具を取り付ける途中の状態を示す斜視図である。
【図１３】同左用連結具を示し、（ａ）はその正面図、（ｂ）はその右側面図、（ｃ）はその底面図、（ｄ）はその左側面図である。
【図１４】同右用連結具を示し、（ａ）はその正面図、（ｂ）はその左側面図、（ｃ）はその底面図、（ｄ）はその右側面図である。
【発明を実施するための形態】
【００１２】
以下、本発明の実施の形態を図面に基づいて説明する。
図１〜図６は本発明の第１実施形態を示している。図１〜図４において、棚１に載置した載置物３が棚１から落下したり倒れたりするのを防止するようにした棚ガード５は、ガード体であるガードベルト６と、ガードベルト６の両端部に連結した左右一対の棚ガード用の連結具７（左用連結具７Ｌ、右用連結具７Ｒ）とを備え、棚１の左右の支柱９間にガードベルト６の両端部がそれぞれ左右の連結具７を介して着脱自在に連結されている。
【００１３】
棚１は左右一対の支柱９を備え、左右の支柱９は、前壁部１１と左右方向内方側の内側壁部１２と、左右方向外方側の外側壁部１３とを断面コの字状に備える。
支柱９の内側壁部１２と外側壁部１３とに棚板取付孔１５が上下方向に一定間隔をおいて列設形成されている。棚板取付孔１５は、前後左右の支柱９間に棚板を水平状に係合保持するためのもので、前側の左右支柱９では、内側壁部１２又は外側壁部１３の前後方向の後方寄りに棚板取付孔１５が四角形状に貫通形成されている。
【００１４】
ガードベルト６の両端部に、端部側を折り返して縫着してなる連結ループ１８が形成されており、この連結ループ１８を介してガードベルト６の両端部に左右の連結具７がそれぞれ連結されている。
図４に示すように、ガードベルト６の中途部は左右に分割されて、ガードベルト６の中
途部に、ガードベルト６の一方の分割端部側が長さ調整自在に連結されると共に他方の分割端部側が連結されるベルト長さ調整具２０が設けられており、ベルト長さ調整具２０によってガードベルト６を長さ調整できるようになっている。
【００１５】
なお、ベルト長さ調整具２０は、金属製のラチェットバックル式のものであってよいし、凹凸嵌合するように差し込んでガードベルト６の分割端部同士を連結するようにした樹脂バックルで構成してもよいし、バックルをフックに掛けるようにしたカムバックル式やセンターバックル式のものであってもよく、要するに、ベルト長さ調整具２０は、ガードベルト６を長さ調整して左右の支柱９間に緊張させておくことができるようになっていればよい。
【００１６】
図５及び図６にも示すように、棚ガード用の連結具７（７Ｌ，７Ｒ）は、左右支柱９の左右内方側の内側壁部１２に設けられた棚板取付孔１５を利用してガードベルト６の両端部を左右支柱９にそれぞれ連結するものであり、ガードベルト６の一端部（左端部）を左支柱９に連結するための左用連結具７Ｌと、ガードベルト６の他端部（右端部）を右支柱９に連結するための右用連結具７Ｒとがあり、両者は互いに左右対称に形成されている。
【００１７】
各連結具７は、ガードベルト６の端部が連結されて支柱９の内側壁部１２から他方の支柱９に向けて突出する連結板２３と、連結板２３の支柱９側端部から前側に屈曲した係合片２４と、連結板２３に固着された挟持片２５とを備えている。
連結板２３は長方形の板状に形成され、連結板２３の左右方向の一端部にガードベルト６を連結するための連結孔２７が上下方向に設けられており、この連結孔２７にガードベルト６の連結ループ１８が挿通されることにより、ガードベルト６の両端部に左右の連結具７がそれぞれ連結板２３を介して連結されている。
【００１８】
連結板２３の他端部に係合片２４が突設されている。係合片２４は上下幅が連結板２３よりも短くて３分の１程度であり、連結板２３の上下方向の中央部から前側に突出されている。
連結板２３と係合片２４とは厚みが２．３ｍｍ程度の金属板により一体に形成されており、連結板２３から係合片２４に亘って後方又は左右方向外方に膨出した１つ又は複数（図例では上下１本）のビード加工２９が施され、係合片２４は連結板２３の支柱９側端部から前側に直角状に屈曲されている。
【００１９】
連結板２３と係合片２４との間の下部側に、支柱９（内側壁部１２）の棚板取付孔１５の下側開口縁部に係合する係合溝３１が、下方に向けて開口するように設けられている。挟持片２５は、連結板２３に固着された固着部３３と、係合片２４から左右方向の内方側に離間して係合片２４と平行になるように固着部３３から前側に突出した挟持部３４とを有している。
【００２０】
挟持片２５の固着部３３と挟持部３４とは厚みが０．５ｍｍ程度の金属製の板バネにより一体に形成されており、固着部３３から挟持部３４に亘って前方又は左右方向内方に膨出した１つ又は複数（図例では上下２本）のビード加工３６が施され、固着部３３は連結板２３の前面に添って配置されて連結板２３にスポット溶接３７等により固着され、挟持部３４は固着部３３の支柱９側端部から前側に直角状に屈曲されている。
【００２１】
また、挟持部３４は、その後端（基端）から前端（先端）に亘って左右方向に凹凸するように波形に屈曲されていて、先端部に、先端に行くに従って係合片２４に対して徐々に大きく左右方向内方に離間するように傾斜した傾斜拡開部３８が形成されている。
而して、係合片２４は支柱９の左右方向内方側から棚板取付孔１５に挿入されて棚板取付孔１５前方の内側壁部１２内面に係合され、このときに挟持片２５の挟持部３４は支柱９の棚板取付孔１５前方の内側壁部１２外面に接当されて、係合片２４と挟持部３４との間で、支柱９の内側壁部１２の棚板取付孔１５の前方側を厚み方向に挟持するように構成されている。
【００２２】
前記第１実施形態によれば、棚１の左右の支柱９間にガードベルト６を連結するには、ガードベルト６の一端部に連結した左用連結具７Ｌを左支柱９に取り付けると共に、ガードベルト６の他端部に連結した右用連結具７Ｒを右支柱９に取り付けて、左右の支柱９間にガードベルト６を連結すればよい。
そして、各連結具７を支柱９に取り付けるには、図１に鎖線で示すように、連結具７の係合片２４を支柱９の左右方向内方側から内側壁部１２の棚板取付孔１５に挿通して、棚板取付孔１５前方の内側壁部１２内面に係合し、このとき、同時に、挟持片２５の挟持部３４を支柱９の棚板取付孔１５前方の内側壁部１２外面に接当させて、係合片２４と挟持部３４との間で、支柱９の内側壁部１２の棚板取付孔１５の前方側を厚み方向に挟持する。
【００２３】
その後、左右の連結具７を支柱９に対して下方に押圧して、係合溝３１を支柱９（内側壁部１２）の棚板取付孔１５の下側開口縁部に係合させればよい。
そして、ベルト長さ調整具２０により、ガードベルト６の長さを調整して、左右の支柱９間にガードベルト６を緊張させておけばよい。
その結果、左右の連結具７の係合片２４が左右支柱９の棚板取付孔１５前方の内側壁部１２内面にそれぞれ係合され、係合片２４と挟持部３４との間で、支柱９の内側壁部１２の棚板取付孔１５の前方側を厚み方向に挟持し、さらに、係合溝３１が内側壁部１２の棚板取付孔１５の下側開口縁部に係合し、左右の連結具７は左右支柱９に対してそれぞれ上下、前後及び左右にガタ付いたりするおそれなく強固に取り付けられる。
【００２４】
従って、左右の連結具７によってガードベルト６を左右支柱９に不測に外れるおそれなく簡単かつ強固に連結することができる。
図７〜図１４は本発明の第２実施形態を示している。左右の連結具７は、第１実施形態の場合と同様に、ガードベルト６の端部が連結されて支柱９の内側壁部１２から他方の支柱９に向けて突出する連結板２３と、連結板２３の支柱９側端部から前側に屈曲した係合片２４と、連結板２３に固着された挟持片２５とを備え、挟持片２５は、連結板２３に固着された固着部３３と、固着部３３から前側に突出した挟持部３４とを有している。
【００２５】
そして、第１実施形態の場合の連結具７に比べて、連結板２３、係合片２４及び挟持片２５の上下幅が長く形成されており、大型の棚１の左右支柱９に対してより適合して取り付けることができるようになっている。その他の点は前記第１実施形態の場合と同様の構成である。
第２実施形態における棚１の左右支柱９は、前記第１実施形態の場合と同様に、前壁部１１と左右方向内方側の内側壁部１２と、左右方向外方側の外側壁部１３とを断面コの字状に備え、支柱９の内側壁部１２と外側壁部１３とにＬ字状の棚板取付孔１５が上下方向に一定間隔をおいて列設形成されている。棚板取付孔１５は、内側壁部１２又は外側壁部１３の前後方向の後方寄りに貫通形成されており、支柱９の棚板取付孔１５の前側開口縁部は内側壁部１２又は外側壁部１３の前後方向の中央部に上下方向に配置されている。
【００２６】
この第２実施形態の場合、各連結具７を支柱９に取り付けるには、図７、図１０及び図１１に示すように、第１実施形態の場合と同様に、連結具７の係合片２４を棚板取付孔１５前方の内側壁部１２内面に係合し、同時に、挟持片２５の挟持部３４を支柱９の棚板取付孔１５前方の内側壁部１２外面に接当させて、係合片２４と挟持部３４との間で、支柱９の内側壁部１２の棚板取付孔１５の前方側を厚み方向に挟持すればよいが、棚板取付孔１５の上部側の前後幅が狭いので、前記図１に２点鎖線で示すように係合片２４を支柱９の左右方向内方の後側から棚板取付孔１５に挿入して直ぐに棚板取付孔１５前方の内側壁部１２内面に係合することが困難であるため、まず、図９に２点鎖線で示す如く、係合片２４を支柱９の左右方向内方の上側から棚板取付孔１５に挿入して、図８、図９及び図１２に示す如く、棚板取付孔１５下方の内側壁部１２内面に係合すると共に、挟持片２５の挟持部３４を支柱９の棚板取付孔１５下方の内側壁部１２外面に接当させて、一旦、係合片２４と挟持部３４との間で、支柱９の内側壁部１２の棚板取付孔１５の下方側を厚み方向に挟持する。
【００２７】
その後、図８に示すように、連結具７を支柱９に対して矢印ａ方向に９０度回転させて、図７、図１０及び図１１に示すように、係合片２４を棚板取付孔１５前方の内側壁部１２内面に係合すると共に、挟持片２５の挟持部３４を支柱９の棚板取付孔１５前方の内側壁部１２外面に接当させて、係合片２４と挟持部３４との間で、支柱９の内側壁部１２の棚板取付孔１５の前方側を厚み方向に挟持し、その後、左右の連結具７を支柱９に対して
下方に押圧して、係合溝３１を支柱９（内側壁部１２）の棚板取付孔１５の下側開口縁部に係合させればよい。
【００２８】
その結果、左右の連結具７の係合片２４が左右支柱９の棚板取付孔１５前方の内側壁部１２内面にそれぞれ係合され、係合片２４と挟持部３４との間で、支柱９の内側壁部１２の棚板取付孔１５の前方側を厚み方向に挟持し、さらに、係合溝３１が内側壁部１２の棚板取付孔１５の下側開口縁部に係合し、左右の連結具７は左右支柱９に対してそれぞれ上下、前後及び左右にガタ付いたりするおそれなく強固に取り付けられる。
【００２９】
従って、左右の連結具７によってガードベルト６を左右支柱９に不測に外れるおそれなく簡単かつ強固に連結することができる。
なお、前記実施形態では、棚ガード用の連結具７は金属により構成されているが、これに代え、連結具７を硬質合成樹脂により一体成形するようにしてもよい。
また、連結具７の係合片２４が挿入される左右支柱９の棚板取付孔１５は四角形状やＬ字状のものに限定されず、左右支柱９の棚板取付孔１５は例えば逆Ｌ字状、三角形状その他の形状であってもよい。そして、連結具７の連結板２３、係合片２４及び挟持片２５の大きさや形状は、支柱９及び棚板取付孔１５の大きさや形状に適合するように適宜設計変更される。
【００３０】
また、棚１の支柱９は断面コの字状のものに限定されず、断面Ｈ字状や断面Ｌ字状のものであってもよい。
また、前記実施形態では、左右支柱９に設けられた棚板取付孔１５を利用してガードベルト６の両端部を左右支柱９にそれぞれ連結具７を介して連結するようにしているが、これに代え、左右支柱９に設けられた棚板取付孔１５以外の取付孔を利用してガードベルト６の両端部を左右支柱９に連結するようにしてもよいことは、勿論である。
【００３１】
また、前記実施形態では、左右の支柱９間に連結されるガード体としてガードベルト６を使用しているが、左右の支柱９間に連結されるガード体はガードベルト６に限定されず、ワイヤロープ、紐部材、鎖、棒材その他であってもよい。
【符号の説明】
【００３２】
１      棚
５      棚ガード
６      ガードベルト
７      連結具
９      支柱
１５    棚板取付孔
２０    ベルト長さ調整具
２３    連結板
２４    係合片
２５    挟持片
２９    ビード加工
３１    係合溝
３３    固着部
３４    挟持部
３６    ビード加工
【図１】
2014018358.tif 000003
【図２】
2014018358.tif 000004
【図３】
2014018358.tif 000005
【図４】
2014018358.tif 000006
【図５】
2014018358.tif 000007
【図６】
2014018358.tif 000008
【図７】
2014018358.tif 000009
【図８】
2014018358.tif 000010
【図９】
2014018358.tif 000011
【図１０】
2014018358.tif 000012
【図１１】
2014018358.tif 000013
【図１２】
2014018358.tif 000014
【図１３】
2014018358.tif 000015
【図１４】
2014018358.tif 000016
【手続補正書】
【提出日】平成25年5月16日(2013.5.16)
【手続補正１】
【補正対象書類名】明細書
【補正対象項目名】全文
【補正方法】変更
【補正の内容】
【発明の詳細な説明】
【技術分野】
【０００１】
本発明は、棚ガード用の連結具及び棚ガードに関するものである。
【背景技術】
【０００２】
棚ガードには、棚の左右の支柱間にガードベルト等のガード体を連結して地震発生時等において棚に載置した載置物が棚から落下したり倒れたりするのを防止するようにしたものがある（例えば引用文献１，２）。
従来のこの種の棚ガードでは、ガードベルトの両端部にそれぞれ鈎形の係止具を連結し、この係止具を棚の左右支柱の左右方向外方の外側壁部外面にそれぞれ係合することにより、ガードベルトの両端部を左右の支柱に連結するようにしたものがある（例えば引用文献１）。
【０００３】
また、他の従来の棚ガードでは、ガードベルトの端部を支柱に連結する連結手段として、押止板をガードベルトの端部に被せ、押止板に穿孔された孔よりネジをベルトに貫通させて支柱に締め付け固定するようにしたものがある（例えば引用文献２）。
【先行技術文献】
【特許文献】
【０００４】
【特許文献１】実用新案登録第３１３５９０１号公報
【特許文献２】実用新案登録第３１７０５３９号公報
【発明の概要】
【発明が解決しようとする課題】
【０００５】
しかし、前者の従来の場合、ガードベルトを左右支柱に連結するには、係止具をそれぞれ棚の左右支柱に係合すればよく、ガードベルトを左右支柱間に簡単に連結することができるが、地震による振動等により、鈎形の係止具が左右の支柱から容易く外れ、地震発生時等において棚に載置した載置物が棚から落下したり倒れたりするのを有効に防止できなくなるおそれがあった。
【０００６】
また、後者の従来の場合、ガードベルトを左右支柱に連結するには、押止板に穿孔された孔よりネジをベルトに貫通させて支柱に締め付け固定する必要があるし、また、左右支柱にネジを螺合するためのねじ孔を形成する必要があり、ガードベルト等のガード体の左右支柱への連結が非常に面倒であった。
本発明は上記問題点に鑑み、ガードベルト等のガード体を左右支柱に不測に外れるおそれなく強固でかつ簡単に連結することができる棚ガード用の連結具及び棚ガードを提供することを目的としている。
【課題を解決するための手段】
【０００７】
本発明における課題解決のための具体的手段は、次の通りである。
この技術的課題を解決する本発明の技術的手段は、棚１の左右の支柱９間に、ガード体を連結して棚１に載置した載置物３が棚１から落下したり倒れたりするのを防止するようにした棚ガード用の連結具であって、左右支柱９に設けられた取付孔１５を利用してガード体の両端部を左右支柱９にそれぞれ連結するようにした棚ガード用の連結具であり、
ガード体の端部が連結される連結板２３と、連結板２３から突出した係合片２４と、連結板２３に固着された挟持片２５とを備え、挟持片２５は、連結板２３に固着された固着部３３と、係合片２４に対向するように固着部３３から突出した挟持部３４とを有し、係合片２４が支柱９の取付孔１５から支柱９の厚み方向の連結板２３とは反対側に挿入されて、係合片２４と挟持部３４との間で支柱９の取付孔１５の開口縁部を厚み方向に挟持するように構成されている点にある。
【０００８】
また、本発明の他の技術的手段は、連結板２３と係合片２４との間に、支柱９の取付孔１５の開口縁部に係合する係合溝３１が設けられている点にある。
また、本発明の他の技術的手段は、連結板２３と係合片２４とは金属板により一体に形成されており、係合片２４は連結板２３から直角状に屈曲されている点にある。
また、本発明の他の技術的手段は、挟持片２５の固着部３３と挟持部３４とは金属製の板バネにより一体に形成されており、固着部３３は連結板２３に添って配置されて該連結板２３に溶接され、挟持部３４は固着部３３から板厚方向に屈曲されている点にある。
【０００９】
また、本発明の他の技術的手段は、ガード体であるガードベルト６を備え、ガードベルト６の両端部に、請求項１〜４のいずれかに記載の棚ガード用の連結具が連結板２３を介してそれぞれ連結され、ガードベルト６の中途部にガードベルト６の長さを調整するベルト長さ調整具２０が設けられている点にある。
【発明の効果】
【００１０】
本発明によれば、棚ガード用の連結具の係合片を支柱の取付孔に挿入して支柱に係合すれば、係合片と挟持部との間で、支柱の取付孔の開口縁部を厚み方向に挟持することができ、棚ガード用の連結具によってガードベルト等のガード体を左右支柱に不測に外れるおそれなく強固でかつ簡単に連結することができる。
【図面の簡単な説明】
【００１１】
【図１】本発明の第１実施形態を示す棚ガードの平面断面図である。
【図２】同左側の支柱及び連結具を前側から見た斜視図である。
【図３】同左側の支柱及び連結具を後側から見た斜視図である。
【図４】同左右支柱に取り付けた状態の棚ガードの正面図である。
【図５】同左用連結具を示し、（ａ）はその正面図、（ｂ）はその左側面図、（ｃ）はその右側面図、（ｄ）はその底面図である。
【図６】同右用連結具を示し、（ａ）はその正面図、（ｂ）はその左側面図、（ｃ）はその右側面図、（ｄ）はその底面図である。
【図７】本発明の第２実施形態を示す棚ガードの平面断面図である。
【図８】同支柱に連結具を取り付ける途中を示す平面断面図である。
【図９】図８のＡ−Ａ線断面図である。
【図１０】同左側の支柱及び連結具を前側から見た斜視図である。
【図１１】同左側の支柱及び連結具を後側から見た斜視図である。
【図１２】同支柱に連結具を取り付ける途中の状態を示す斜視図である。
【図１３】同左用連結具を示し、（ａ）はその正面図、（ｂ）はその右側面図、（ｃ）はその底面図、（ｄ）はその左側面図である。
【図１４】同右用連結具を示し、（ａ）はその正面図、（ｂ）はその左側面図、（ｃ）はその底面図、（ｄ）はその右側面図である。
【発明を実施するための形態】
【００１２】
以下、本発明の実施の形態を図面に基づいて説明する。
図１〜図６は本発明の第１実施形態を示している。図１〜図４において、棚１に載置した載置物３が棚１から落下したり倒れたりするのを防止するようにした棚ガード５は、ガード体であるガードベルト６と、ガードベルト６の両端部に連結した左右一対の棚ガード用の連結具７（左用連結具７Ｌ、右用連結具７Ｒ）とを備え、棚１の左右の支柱９間にガードベルト６の両端部がそれぞれ左右の連結具７を介して着脱自在に連結されている。
【００１３】
棚１は左右一対の支柱９を備え、左右の支柱９は、前壁部１１と左右方向内方側の内側壁部１２と、左右方向外方側の外側壁部１３とを断面コの字状に備える。
支柱９の内側壁部１２と外側壁部１３とに棚板取付孔１５が上下方向に一定間隔をおいて列設形成されている。棚板取付孔１５は、前後左右の支柱９間に棚板を水平状に係合保持するためのもので、前側の左右支柱９では、内側壁部１２又は外側壁部１３の前後方向の後方寄りに棚板取付孔１５が四角形状に貫通形成されている。
【００１４】
ガードベルト６の両端部に、端部側を折り返して縫着してなる連結ループ１８が形成されており、この連結ループ１８を介してガードベルト６の両端部に左右の連結具７がそれぞれ連結されている。
図４に示すように、ガードベルト６の中途部は左右に分割されて、ガードベルト６の中途部に、ガードベルト６の一方の分割端部側が長さ調整自在に連結されると共に他方の分割端部側が連結されるベルト長さ調整具２０が設けられており、ベルト長さ調整具２０によってガードベルト６を長さ調整できるようになっている。
【００１５】
なお、ベルト長さ調整具２０は、金属製のラチェットバックル式のものであってよいし、凹凸嵌合するように差し込んでガードベルト６の分割端部同士を連結するようにした樹脂バックルで構成してもよいし、バックルをフックに掛けるようにしたカムバックル式やセンターバックル式のものであってもよく、要するに、ベルト長さ調整具２０は、ガードベルト６を長さ調整して左右の支柱９間に緊張させておくことができるようになっていればよい。
【００１６】
図５及び図６にも示すように、棚ガード用の連結具７（７Ｌ，７Ｒ）は、左右支柱９の左右内方側の内側壁部１２に設けられた棚板取付孔１５を利用してガードベルト６の両端部を左右支柱９にそれぞれ連結するものであり、ガードベルト６の一端部（左端部）を左支柱９に連結するための左用連結具７Ｌと、ガードベルト６の他端部（右端部）を右支柱９に連結するための右用連結具７Ｒとがあり、両者は互いに左右対称に形成されている。
【００１７】
各連結具７は、ガードベルト６の端部が連結されて支柱９の内側壁部１２から他方の支柱９に向けて突出する連結板２３と、連結板２３の支柱９側端部から前側に屈曲した係合片２４と、連結板２３に固着された挟持片２５とを備えている。
連結板２３は長方形の板状に形成され、連結板２３の左右方向の一端部にガードベルト
６を連結するための連結孔２７が上下方向に設けられており、この連結孔２７にガードベルト６の連結ループ１８が挿通されることにより、ガードベルト６の両端部に左右の連結具７がそれぞれ連結板２３を介して連結されている。
【００１８】
連結板２３の他端部に係合片２４が突設されている。係合片２４は上下幅が連結板２３よりも短くて３分の１程度であり、連結板２３の上下方向の中央部から前側に突出されている。
連結板２３と係合片２４とは厚みが２．３ｍｍ程度の金属板により一体に形成されており、連結板２３から係合片２４に亘って後方又は左右方向外方に膨出した１つ又は複数（図例では上下１本）のビード加工２９が施され、係合片２４は連結板２３の支柱９側端部から前側に直角状に屈曲されている。
【００１９】
連結板２３と係合片２４との間の下部側に、支柱９（内側壁部１２）の棚板取付孔１５の下側開口縁部に係合する係合溝３１が、下方に向けて開口するように設けられている。挟持片２５は、連結板２３に固着された固着部３３と、係合片２４から左右方向の内方側に離間して係合片２４と平行になるように固着部３３から前側に突出した挟持部３４とを有している。
【００２０】
挟持片２５の固着部３３と挟持部３４とは厚みが０．５ｍｍ程度の金属製の板バネにより一体に形成されており、固着部３３から挟持部３４に亘って前方又は左右方向内方に膨出した１つ又は複数（図例では上下２本）のビード加工３６が施され、固着部３３は連結板２３の前面に添って配置されて連結板２３にスポット溶接３７等により固着され、挟持部３４は固着部３３の支柱９側端部から前側に直角状に屈曲されている。
【００２１】
また、挟持部３４は、その後端（基端）から前端（先端）に亘って左右方向に凹凸するように波形に屈曲されていて、先端部に、先端に行くに従って係合片２４に対して徐々に大きく左右方向内方に離間するように傾斜した傾斜拡開部３８が形成されている。
而して、係合片２４は支柱９の左右方向内方側から棚板取付孔１５に挿入されて棚板取付孔１５前方の内側壁部１２内面に係合され、このときに挟持片２５の挟持部３４は支柱９の棚板取付孔１５前方の内側壁部１２外面に接当されて、係合片２４と挟持部３４との間で、支柱９の内側壁部１２の棚板取付孔１５の前方側を厚み方向に挟持するように構成されている。
【００２２】
前記第１実施形態によれば、棚１の左右の支柱９間にガードベルト６を連結するには、ガードベルト６の一端部に連結した左用連結具７Ｌを左支柱９に取り付けると共に、ガードベルト６の他端部に連結した右用連結具７Ｒを右支柱９に取り付けて、左右の支柱９間にガードベルト６を連結すればよい。
そして、各連結具７を支柱９に取り付けるには、図１に鎖線で示すように、連結具７の係合片２４を支柱９の左右方向内方側から内側壁部１２の棚板取付孔１５に挿通して、棚板取付孔１５前方の内側壁部１２内面に係合し、このとき、同時に、挟持片２５の挟持部３４を支柱９の棚板取付孔１５前方の内側壁部１２外面に接当させて、係合片２４と挟持部３４との間で、支柱９の内側壁部１２の棚板取付孔１５の前方側を厚み方向に挟持する。
【００２３】
その後、左右の連結具７を支柱９に対して下方に押圧して、係合溝３１を支柱９（内側壁部１２）の棚板取付孔１５の下側開口縁部に係合させればよい。
そして、ベルト長さ調整具２０により、ガードベルト６の長さを調整して、左右の支柱９間にガードベルト６を緊張させておけばよい。
その結果、左右の連結具７の係合片２４が左右支柱９の棚板取付孔１５前方の内側壁部１２内面にそれぞれ係合され、係合片２４と挟持部３４との間で、支柱９の内側壁部１２
の棚板取付孔１５の前方側を厚み方向に挟持し、さらに、係合溝３１が内側壁部１２の棚板取付孔１５の下側開口縁部に係合し、左右の連結具７は左右支柱９に対してそれぞれ上下、前後及び左右にガタ付いたりするおそれなく強固に取り付けられる。
【００２４】
従って、左右の連結具７によってガードベルト６を左右支柱９に不測に外れるおそれなく簡単かつ強固に連結することができる。
図７〜図１４は本発明の第２実施形態を示している。左右の連結具７は、第１実施形態の場合と同様に、ガードベルト６の端部が連結されて支柱９の内側壁部１２から他方の支柱９に向けて突出する連結板２３と、連結板２３の支柱９側端部から前側に屈曲した係合片２４と、連結板２３に固着された挟持片２５とを備え、挟持片２５は、連結板２３に固着された固着部３３と、固着部３３から前側に突出した挟持部３４とを有している。
【００２５】
そして、第１実施形態の場合の連結具７に比べて、連結板２３、係合片２４及び挟持片２５の上下幅が長く形成されており、大型の棚１の左右支柱９に対してより適合して取り付けることができるようになっている。その他の点は前記第１実施形態の場合と同様の構成である。
第２実施形態における棚１の左右支柱９は、前記第１実施形態の場合と同様に、前壁部１１と左右方向内方側の内側壁部１２と、左右方向外方側の外側壁部１３とを断面コの字状に備え、支柱９の内側壁部１２と外側壁部１３とにＬ字状の棚板取付孔１５が上下方向に一定間隔をおいて列設形成されている。棚板取付孔１５は、内側壁部１２又は外側壁部１３の前後方向の後方寄りに貫通形成されており、支柱９の棚板取付孔１５の前側開口縁部は内側壁部１２又は外側壁部１３の前後方向の中央部に上下方向に配置されている。
【００２６】
この第２実施形態の場合、各連結具７を支柱９に取り付けるには、図７、図１０及び図１１に示すように、第１実施形態の場合と同様に、連結具７の係合片２４を棚板取付孔１５前方の内側壁部１２内面に係合し、同時に、挟持片２５の挟持部３４を支柱９の棚板取付孔１５前方の内側壁部１２外面に接当させて、係合片２４と挟持部３４との間で、支柱９の内側壁部１２の棚板取付孔１５の前方側を厚み方向に挟持すればよいが、棚板取付孔１５の上部側の前後幅が狭いので、前記図１に２点鎖線で示すように係合片２４を支柱９の左右方向内方の後側から棚板取付孔１５に挿入して直ぐに棚板取付孔１５前方の内側壁部１２内面に係合することが困難であるため、まず、図９に２点鎖線で示す如く、係合片２４を支柱９の左右方向内方の上側から棚板取付孔１５に挿入して、図８、図９及び図１２に示す如く、棚板取付孔１５下方の内側壁部１２内面に係合すると共に、挟持片２５の挟持部３４を支柱９の棚板取付孔１５下方の内側壁部１２外面に接当させて、一旦、係合片２４と挟持部３４との間で、支柱９の内側壁部１２の棚板取付孔１５の下方側を厚み方向に挟持する。
【００２７】
その後、図８に示すように、連結具７を支柱９に対して矢印ａ方向に９０度回転させて、図７、図１０及び図１１に示すように、係合片２４を棚板取付孔１５前方の内側壁部１２内面に係合すると共に、挟持片２５の挟持部３４を支柱９の棚板取付孔１５前方の内側壁部１２外面に接当させて、係合片２４と挟持部３４との間で、支柱９の内側壁部１２の棚板取付孔１５の前方側を厚み方向に挟持し、その後、左右の連結具７を支柱９に対して下方に押圧して、係合溝３１を支柱９（内側壁部１２）の棚板取付孔１５の下側開口縁部に係合させればよい。
【００２８】
その結果、左右の連結具７の係合片２４が左右支柱９の棚板取付孔１５前方の内側壁部１２内面にそれぞれ係合され、係合片２４と挟持部３４との間で、支柱９の内側壁部１２の棚板取付孔１５の前方側を厚み方向に挟持し、さらに、係合溝３１が内側壁部１２の棚板取付孔１５の下側開口縁部に係合し、左右の連結具７は左右支柱９に対してそれぞれ上下、前後及び左右にガタ付いたりするおそれなく強固に取り付けられる。
【００２９】
従って、左右の連結具７によってガードベルト６を左右支柱９に不測に外れるおそれなく簡単かつ強固に連結することができる。
なお、前記実施形態では、棚ガード用の連結具７は金属により構成されているが、これに代え、連結具７を硬質合成樹脂により一体成形するようにしてもよい。
また、連結具７の係合片２４が挿入される左右支柱９の棚板取付孔１５は四角形状やＬ字状のものに限定されず、左右支柱９の棚板取付孔１５は例えば逆Ｌ字状、三角形状その他の形状であってもよい。そして、連結具７の連結板２３、係合片２４及び挟持片２５の大きさや形状は、支柱９及び棚板取付孔１５の大きさや形状に適合するように適宜設計変更される。
【００３０】
また、棚１の支柱９は断面コの字状のものに限定されず、断面Ｈ字状や断面Ｌ字状のものであってもよい。
また、前記実施形態では、左右支柱９に設けられた棚板取付孔１５を利用してガードベルト６の両端部を左右支柱９にそれぞれ連結具７を介して連結するようにしているが、これに代え、左右支柱９に設けられた棚板取付孔１５以外の取付孔を利用してガードベルト６の両端部を左右支柱９に連結するようにしてもよいことは、勿論である。
【００３１】
また、前記実施形態では、左右の支柱９間に連結されるガード体としてガードベルト６を使用しているが、左右の支柱９間に連結されるガード体はガードベルト６に限定されず、ワイヤロープ、紐部材、鎖、棒材その他であってもよい。
【符号の説明】
【００３２】
１      棚
５      棚ガード
６      ガードベルト
７      連結具
９      支柱
１５    棚板取付孔
２０    ベルト長さ調整具
２３    連結板
２４    係合片
２５    挟持片
２９    ビード加工
３１    係合溝
３３    固着部
３４    挟持部
３６    ビード加工
【手続補正２】
【補正対象書類名】特許請求の範囲
【補正対象項目名】全文
【補正方法】変更
【補正の内容】
【特許請求の範囲】
【請求項１】
棚（１）の左右の支柱（９）間に、ガード体を連結して棚（１）に載置した載置物（３）が棚（１）から落下したり倒れたりするのを防止するようにした棚ガード用の連結具であって、左右支柱（９）に設けられた取付孔（１５）を利用してガード体の両端部を左右支柱（９）にそれぞれ連結するようにした棚ガード用の連結具であり、
ガード体の端部が連結される連結板（２３）と、連結板（２３）から突出した係合片（
２４）と、連結板（２３）に固着された挟持片（２５）とを備え、挟持片（２５）は、連結板（２３）に固着された固着部（３３）と、係合片（２４）に対向するように固着部（３３）から突出した挟持部（３４）とを有し、係合片（２４）が支柱（９）の取付孔（１５）から支柱（９）の厚み方向の連結板（２３）とは反対側に挿入されて、係合片（２４）と挟持部（３４）との間で支柱（９）の取付孔（１５）の開口縁部を厚み方向に挟持するように構成されていることを特徴とする棚ガード用の連結具。
【請求項２】
連結板（２３）と係合片（２４）との間に、支柱（９）の取付孔（１５）の開口縁部に係合する係合溝（３１）が設けられていることを特徴とする請求項１に記載の棚ガード用の連結具。
【請求項３】
連結板（２３）と係合片（２４）とは金属板により一体に形成されており、係合片（２４）は連結板（２３）から直角状に屈曲されていることを特徴とする請求項１又は２に記載の棚ガード用の連結具。
【請求項４】
挟持片（２５）の固着部（３３）と挟持部（３４）とは金属製の板バネにより一体に形成されており、固着部（３３）は連結板（２３）に添って配置されて該連結板（２３）に溶接され、挟持部（３４）は固着部（３３）から板厚方向に屈曲されていることを特徴とする請求項１〜３のいずれかに記載の棚ガード用の連結具。
【請求項５】
ガード体であるガードベルト（６）を備え、ガードベルト（６）の両端部に、請求項１〜４のいずれかに記載の棚ガード用の連結具が連結板（２３）を介してそれぞれ連結され、ガードベルト（６）の中途部にガードベルト（６）の長さを調整するベルト長さ調整具（２０）が設けられていることを特徴とする棚ガード。